(57)【特許請求の範囲】
【請求項１】
外部機器に接続するための接続端子を有する映像表示装置であって、
映像表示装置に接続された外部機器に映像データを送信するための送信手段と、
前記送信手段に接続され、該映像表示装置の背面に配置された第１の接続端子と、
前記送受信手段に接続され、前記映像表示装置の背面以外の側面に配置された第２の接続端子と、
ユーザにより前記第２の接続端子に接続された外部機器への映像データの送信を指示されない限り、前記第２の接続端子に接続された外部機器へ映像データが送信されないように前記送信手段を制御する制御手段と、を有することを特徴とする映像表示装置。
【請求項２】
前記制御手段は、ユーザにより前記第２の接続端子に接続された外部機器への映像データの送信を指示された場合であって、前記第２の接続端子と外部機器との接続が解除されていること、前記映像表示装置の電源が入っていないこと、またはユーザによる前記第２の接続端子に接続された前記外部機器へ映像データを送信する前記指示が取り消されたことのうち少なくとも何れかを検出した場合に、前記第２の接続端子に接続された外部機器へ映像データが送信されないように前記送信手段を制御することを特徴とする請求項１に記載の映像表示装置。
【請求項３】
前記制御手段は、ユーザにより前記第２の接続端子に接続された外部機器への映像データの送信を指示されない場合、前記第１の接続端子に接続された外部機器へ映像データが送信されるように前記送信手段を制御することを特徴とする請求項１に記載の映像表示装置。
【請求項４】
前記制御手段は、ユーザ操作にもとづき、前記接続端子から前記映像データを送信するように前記送信手段を制御するとともに、前記外部映像機器に対して前記映像データの録画動作を指示することを特徴とする請求項１記載の映像表示装置。
【請求項５】
前記映像表示装置は、放送信号を受信する受信手段と、映像データを記録する記録手段とを有し、
前記送信手段により外部機器に送信される映像データは、前記放送信号に含まれる映像データ、または前記記録手段に記録した映像データであることを特徴とする請求項１乃至４のいずれか１項に記載の映像表示装置。
【請求項６】
映像表示装置の背面に配置された第１の接続端子と、前記映像表示装置の背面以外の側面に配置された第２の接続端子とを有する映像表示装置の制御方法であって、
前記第１の接続端子及び前記第２の接続端子に接続された前記外部機器に映像データを送信するための送信ステップと、
ユーザにより前記第２の接続端子に接続された外部機器への映像データの送信を指示されない限り、前記第２の接続端子に接続された外部機器へ前記映像データが送信されないように制御する制御ステップを有することを特徴とする映像表示装置の制御方法。
【発明の詳細な説明】
【技術分野】
【０００１】
本発明は、外部映像機器と接続可能な映像表示装置に関し、詳しくはフロント端子に接続された外部映像機器への映像データ出力を制御する映像表示装置に関する。
【背景技術】
【０００２】
映像データＴＶ装置と、録画装置やデジタルビデオカメラ等の外部映像機器とを接続して映像の録画や再生を行う映像記録システムが知られている。
【０００３】
一般的に、外部映像機器と接続する各種入出力端子はＴＶ装置の背面に配置され、１系統の入出力端子が「フロント端子」として、前面に配置される場合が多い。このフロント端子は常時接続する据置型機器ではなく、ビデオカメラ等のポータブル撮影機器を必要に応じて簡便に接続できるようにするためのものである。通常、ポータブル撮影機器への映像記録は、撮影時の一次バッファーが目的であり、保存用コンテンツを記録する目的では無い。よってフロント端子に接続されたポータブル撮影機器に対して、ユーザが意図することなく、ＴＶ装置からの映像記録処理が為されることは好ましくない。ＴＶ装置からの映像記録処理指示により、撮影された映像データが消去される等の不都合が起こり得るからである。一方、フロント端子に接続される外部映像機器は、ポータブル機器とは限らない。例えば、外付けＨＤＤの様なバッファー機能を有する機器を一時的に接続する場合もある。外付けＨＤＤは、必ずしもＴＶ装置に常時接続するものでは無いのにも係わらず、ＴＶ装置からの映像記録を目的とするものである。つまり、フロント端子に接続される外部映像機器に対して、一律に録画機能無しとするのも弊害が残る。
【０００４】
下記特許文献１では、録画予約設定において、放送コンテンツデータを記録させるべく外部記録機器の候補を、優先度を付して選択できるようにした記録制御装置が開示されている。
【特許文献１】特開２００６−５４０２２号公報
【発明の開示】
【発明が解決しようとする課題】
【０００５】
しかしながら、従来の映像記録システムでは、フロント端子に接続された外部映像機器への意図しない録画を防止するとともに、意図した場合には録画のための映像データ出力を容易に可能にするような接続インターフェイスが十分提供されていなかった。
【課題を解決するための手段】
【０００６】
本発明は、外部映像機器に接続するための接続端子を有する映像表示装置であって、
外部送受信手段に接続され、該映像表示装置の前面に配置された接続端子と、
ユーザによる出力禁止解除の操作がない場合には、前記前面に配置された接続端子からの映像データの出力を禁止するように前記外部送受信手段を制御する制御手段とを有することを特徴とする。
【発明の効果】
【０００７】
本発明によれば、繁雑な操作を必要とせずに、フロント端子への映像データの出力を制限出来る。即ち、ユーザが意図しないフロント端子への録画出力が禁止され、意図した場合にのみ録画出力を行なう事が出来る。
【発明を実施するための最良の形態】
【０００８】
（実施例１）
（映像データ）
図２は、本発明の映像表示装置をＴＶ装置に適用した場合のシステムブロック図である。ＴＶ装置としては、映像コンテンツの映像データを記録可能な外部映像機器に接続可能で、ＨＤＤを内蔵した薄型テレビ装置が好適である。ＨＤＤは、受信した放送信号に含まれる映像データを記録するための記録部である。ＲＦ入力端子１００から入力された放送信号はチューナー１０１（受信部）にて選局／同調されデジタル復調される。復調された放送信号は、デ・スクランブラー１０２にてスクランブル解除され、圧縮画像のストリームデータであるＴＳ（Ｔｒａｎｓｐｏｒｔ  Ｓｔｒｅａｍ）が出力される。このＴＳはＭＰＥＧデ・コーダ１０３、第１エンコーダ１１１ならびに第２エンコーダ１２１にそれぞれ入力される。ＭＰＥＧデ・コーダ１０３は、ＴＳをデコードして非圧縮映像データを出力する。またＯＳＤ（ｏｎ  ｓｃｒｅｅｎ  ｄｉｓｐｌａｙ）／ＧＵＩ（ｇｒａｐｈｉｃａｌ  ｕｓｅｒ  ｉｎｔｅｒｆａｃｅ）発生部１０４では、ユーザ操作に関わる各種情報を操作画像として表示部１０７の画面上に表示する為の映像データを生成する。ＯＳＤ／ＧＵＩ発生部１０４と操作ＳＷ部１１がユーザーＩ／Ｆ手段を構成する。
【０００９】
画像処理部１０５では、前段のＭＰＥＧデ・コーダ１０３から出力された映像データに対し、以下の画像処理を施す。インターレース信号をプログレッシブ信号に変換するＩ／Ｐ変換処理、表示部の表示パネルの画素数に合わせた解像度に変換するスケーリング処理、フレーム周波数を変換するフレームレート変換処理である。さらに、マルチウインドウ表示の複数の映像データや、ＯＳＤ／ＧＵＩ発生部１０４からの操作用画像データを合成する画面合成処理である。
【００１０】
また、出力用エンコーダ１１１／１２１は、デ・スクランブラー１０２から出力されたＴＳを外部にシリアル転送する為のデータ構造に変換する。変換された映像データは、暗号化部１１２／１２２にてスクランブル処理を施され、Ｉ／Ｏ送受信部１１３／１２３を経て、外部Ｉ／Ｏ接続端子１１０／１２０から外部映像機器へ送信される。ここで２つの外部Ｉ／Ｏ接続端子１１０／１２０の内、どちらから出力するかはＣＰＵ１０が判断し、判断に応じてＩ／Ｏ送受信部１１３／１２３をそれぞれ制御する。また、ＣＰＵ１０と外部映像機器との制御通信も、Ｉ／Ｏ送受信部１１３／１２３と外部Ｉ／Ｏ接続端子１１０／１２０を介して行われる。
【００１１】
第１の外部Ｉ／Ｏ接続端子１１０は、ＴＶ装置の背面に配置されている。
【００１２】
第２の外部Ｉ／Ｏ接続端子１２０はＴＶ装置の前面に配置されたフロント端子である。ここで、前面とは、表示部１０７の画面が配置されている側の面であり、ユーザ側を向いている面である。前面と対向し、ユーザ側からは見えない面を背面と呼ぶ。但し、背面以外の側面、上下面等に配置されたユーザによる接続操作が容易な接続端子も、本発明においては、前面に配置されたフロント端子に含まれる。
【００１３】
また、この外部Ｉ／Ｏ接続端子１１０／１２０は、ここに接続された外部映像機器に対して映像データを出力するだけでなく、外部映像機器から出力される映像データを入力して、表示部１０７で画像を再生する機能を有してもよい。
【００１４】
チューナー１０１で受信した放送コンテンツは、制御手段としてのＣＰＵ１０の制御により、外部Ｉ／Ｏ接続端子１１０／１２０に接続された外部映像機器に録画される。ＴＶ装置と外部映像装置は、例えば以下の双方向通信可能なインターフェイスを介して接続される。ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、ＩＥＥＥ１３９４、ＤＬＮＡ（Ｄｉｇｉｔａｌ  Ｌｉｖｉｎｇ  Ｎｅｔｗｏｒｋ  Ａｌｌｉａｎｃｅ）等である。ユーザ操作にもとづき、ＣＰＵ１０は上記インターフェイスの制御通信機能を用いて、外部映像機器に録画動作を指示する。また、外部Ｉ／Ｏ接続端子１１０／１２０から、録画される映像データを送信するようＩ／Ｏ送受信部１１３／１２３を制御する。外部映像機器で録画されるコンテンツは、ＴＶ装置内部に装着されたＨＤＤに蓄積されたコンテンツでもよい。ＣＰＵ１０は、外部映像機器が複数存在する場合、いずれの機器で録画するかを適宜選択する。その際、フロント端子１２０に接続された機器は、デフォルトとして選択されない。但し、ユーザの操作によりフロント端子１２０に接続された機器が指定された場合は、選択可能である。また、複数の機器が選択可能である場合は、記録メディアの種類や記録可能エリアの残量に基づいて選択される。
【００１５】
図１は、外部映像機器選択の手順を示したフローチャートである。
【００１６】
通常の外部映像機器への映像データの出力は、外部送受信手段としての、第１の外部Ｉ／Ｏ接続端子１１０に接続された機器に対しておこなわれる。ユーザー操作により録画先機器としてフロント端子１２０に接続された機器が指定された場合は、このフローに従って制御される。先ずＳｔｅｐ１０１にてフロント端子１２０への録画禁止を解除（映像データの出力禁止解除）し、フロント端子に接続された外部映像機器が選択される。その後、Ｓｔｅｐ１０２にてフロント端子１２０への接続が抜去されたか、Ｓｔｅｐ１０３にてＴＶ装置の電源ＯＦＦ操作が為されたか、Ｓｔｅｐ１０４にてフロント端子に接続された機器への録画指示を取り消す操作がなされたかが判断される。いずれも該当しない場合、Ｓｔｅｐ１０２からＳｔｅｐ１０４のループを周り続け、この期間中はフロント端子から映像データが出力されて、外部映像機器で録画される。そしてＳｔｅｐ１０２からＳｔｅｐ１０４に於ける判定のいずれかに該当した場合、Ｓｔｅｐ１１０に進みここでフロント端子への録画禁止を再度設定（再度禁止）し、このフローを終える。即ち、ＣＰＵ１０は、以下のうち少なくとも何れかを検出した場合に、フロント端子からの映像データの出力を再度禁止するようにＩ／Ｏ送受信部１２３を制御する。フロント端子への接続解除、ＴＶ装置の電源のＯＦＦ操作、フロント端子に接続された外部映像機器への録画禁止操作である。
【００１７】
尚、出力用エンコーダ１１１／１２１から外部Ｉ／Ｏ接続端子１１０／１２０に掛けての外部録画出力用の回路ブロックは、本実施例の場合２組用意されている。しかし、外部Ｉ／Ｏ接続端子１１０／１２０のみ２つ設け、出力用エンコーダ１１１／１２１からＩ／Ｏ送受信部１１３／１２３を１組の回路ブロックで兼用しても良い。
【００１８】
出力用エンコーダ１１１／１２１から外部Ｉ／Ｏ接続端子１１０／１２０に掛けての外部録画出力用の各回路ブロックは２組みに限定されるものでは無い。
【００１９】
（実施例２）
図３は、本発明の第２の実施例に於ける制御フローチャートである。システムブロック図は、図２に示した第１の実施例と同様である。そして第１の実施例と同様、通常の外部映像機器への録画出力は第１の外部Ｉ／Ｏ接続端子１１０に接続された機器に対しておこなわれる。ユーザー操作によりフロント端子１２０に接続された機器への録画禁止解除が為された場合は、このフローに従って制御される。先ずＳｔｅｐ２０１にてフロント端子１２０からの録画禁止を解除する。そしてＳｔｅｐ２０２にてユーザによる外部映像機器への録画操作指示を待つ。録画操作が指示されたらＳｔｅｐ２０３にてフロント端子１２０に接続された機器に対する録画操作か否かを判断する。
【００２０】
ここでフロント端子１２０に接続された機器に対する録画操作で無かった場合には、Ｓｔｅｐ２０４にて背面に配置された接続端子１１０からの録画を開始する。録画終了後はＳｔｅｐ２０２に戻り、再度外部映像機器への録画操作が為されるのを待つ。
【００２１】
一方Ｓｔｅｐ２０３にてフロント端子１２０に接続された機器に対する録画操作であった場合には、Ｓｔｅｐ２１４にてフロント端子１２０からの録画を開始し、これの終了をＳｔｅｐ２１５で待つ。録画終了後はＳｔｅｐ２２０にて、フロント端子１２０からの録画を禁止に戻し、処理を終了する。
【００２２】
つまり、本実施例ではフロント端子１２０からの録画を１回のみ受け付け、終了後は自動的にフロント端子１２０からの録画を禁止に戻すように動作する。
【図面の簡単な説明】
【００２３】
【図１】第１の実施例の動作を示すフローチャート
【図２】第１並びに第２の実施例に於けるブロック図
【図３】第２の実施例の動作を示すフローチャート
【符号の説明】
【００２４】
１０  ＣＰＵ
１１０，１２０  外部Ｉ／Ｏ接続端子
１１１，１２１  出力用エンコーダ
１１２，１２２  暗号化ブロック
１１３，１２３  Ｉ／Ｏ送受信回路
【図１】
0004974840.tif 000002
【図２】
0004974840.tif 000003
【図３】
0004974840.tif 000004